(57)【特許請求の範囲】
【請求項１】
ステータコアの軸方向一端側に配置されて前記ステータコアに巻装される巻線が接続されるバスバーと、前記バスバーを保持する保持部材とを備えた回転機において、
前記保持部材が、前記バスバーを保持する保持部と前記ステータコアの軸方向一端側に当接する当接部とを有すると共に、前記当接部において前記ステータコアと共に機械的締結手段によって構造部材に固定され、
前記機械的締結手段が、ボルトを用いたものであり、
前記ステータコアが、前記ボルトを挿通可能な第一の挿通穴を有し、
前記保持部材が、前記当接部に前記ボルトを挿通可能な第二の挿通穴を有し、当該第二の挿通穴が前記第一の挿通穴と略同軸となるように前記ステータコアの軸方向一端側に配置される
ことを特徴とする回転機。
【請求項２】
ステータコアの軸方向一端側にバスバーを配置し、前記ステータコアに巻装される巻線を前記バスバーに接続し、保持部材によって前記バスバーを保持して構造部材に固定する回転機の製造方法において、
前記ステータコアに形成した第一の挿通穴と前記保持部材に形成した第二の挿通穴とが略同軸となるように、前記ステータコアおよび前記保持部材を配置し、
前記第一の挿通穴および前記第二の挿通穴にボルトを挿通して、前記ステータコアと前記保持部材とを共に構造部材に締結する
ことを特徴とする回転機の製造方法。
【発明の詳細な説明】
【技術分野】
【０００１】
本発明は、多相交流を用いた回転機および回転機の製造方法に関する。
【背景技術】
【０００２】
多相交流回転機は、ステータ（固定子）に巻装されたコイル（巻線）に位相をずらした所定周波数の電流（多相交流）が供給されることによって回転磁界を生じ、ステータに回転自在に保持されたロータ（回転子）が当該回転磁界によって回転駆動されるものである。多相交流回転機においては、ステータに巻線を巻装するための多数のスロットが設けられ、各スロットに巻回される巻線の巻き始めと巻き終わりとが相毎に電気的に接続されている。
【０００３】
一般に、各相の巻線は、略半円状のバスバー（バスリング）を介して接続される。そして、巻線とバスバーとの接続は、溶接、ロウ付け、かしめ等の方法によってなされる。このように、巻線とバスバーとが所定の接続方法によって接続されているだけの状態では、バスバーを保持するための十分な強度が確保されておらず、回転機として使用することができない。
【０００４】
よって、バスバーを保持するための十分な強度を確保することができるように、別途部品（バスバー保持部品）を用いてバスバーを保持すると共に、当該バスバー保持部品を固定する必要がある。しかし、回転機の構成上、バスバー保持部品を固定するためのボルトタップ穴等の締結箇所を、ステータコアやロータコアの軸方向面上に設置することはできない。
【先行技術文献】
【特許文献】
【０００５】
【特許文献１】特開２０１３−１０２５９６号公報
【特許文献２】特開２０１１−２５４６２９号公報
【特許文献３】特開２０１０−２３３３２７号公報
【発明の概要】
【発明が解決しようとする課題】
【０００６】
そこで、バスバーを保持するための十分な強度を確保する方法として、例えば、ステータコアの外周部材（ケース、フレーム、ブラケット等）に締結箇所を設ける方法（特許文献１参照）、樹脂モールド成形する方法（特許文献２および特許文献３参照）などが考えられている。
【０００７】
しかし、これらの方法には、バスバーを固定するための部品形状が大きくなる、質量が増加する、成形が複雑化する等の問題がある。なお、これらの問題は、昨今要求が厳しい回転機の小型化や軽量化という課題の解決に大きく影響を及ぼすものである。
【０００８】
本発明は上記問題に鑑みてなされたもので、多相交流回転機において、部品形状の増大や質量の増加を伴わずにバスバーを保持することができるようにすることを目的とする。
【課題を解決するための手段】
【０００９】
上記課題を解決する第一の発明に係る回転機は、ステータコアの軸方向一端側に配置されて前記ステータコアに巻装される巻線が接続されるバスバーと、前記バスバーを保持する保持部材とを備えた回転機において、前記保持部材が、前記バスバーを保持する保持部と前記ステータコアの軸方向一端側に当接する当接部とを有すると共に、前記当接部において前記ステータコアと共に機械的締結手段によって構造部材に固定され、前記機械的締結手段が、ボルトを用いたものであり、前記ステータコアが、前記ボルトを挿通可能な第一の挿通穴を有し、前記保持部材が、前記当接部に前記ボルトを挿通可能な第二の挿通穴を有し、当該第二の挿通穴が前記第一の挿通穴と略同軸となるように前記ステータコアの軸方向一端側に配置されることを特徴とする。
【００１１】
上記課題を解決する第二の発明に係る回転機の製造方法は、ステータコアの軸方向一端側にバスバーを配置し、前記ステータコアに巻装される巻線を前記バスバーに接続し、保持部材によって前記バスバーを保持して構造部材に固定する回転機の製造方法において、前記ステータコアに形成した第一の挿通穴と前記保持部材に形成した第二の挿通穴とが略同軸となるように、前記ステータコアおよび前記保持部材を配置し、前記第一の挿通穴および前記第二の挿通穴にボルトを挿通して、前記ステータコアと前記保持部材とを共に構造部材に締結することを特徴とする。
【発明の効果】
【００１２】
第一の発明に係る回転機によれば、保持部材がバスバーを保持すると共にステータコアとの共締めによって構造部材に固定されるので、バスバーを固定するための部品形状が大きくなる、質量が増加する、成形が複雑化する等の問題が生じることはない。よって、回転機の小型化や軽量化を図ることができる。
【００１３】
また、第一の発明に係る回転機によれば、保持部材とステータコアとの共締めを簡易な構造とすることができ、部品点数や製造コストの増加を抑えることができる。
【００１４】
第二の発明に係る回転機の製造方法によれば、保持部材がバスバーを保持すると共にステータコアとの共締めによって構造部材に固定されるので、バスバーを固定するための部品形状が大きくなる、質量が増加する、成形が複雑化する等の問題が生じることはない。よって、回転機の小型化や軽量化を図ることができる。また、保持部材とステータコアとの共締めを簡易な構造とすることができ、部品点数や製造コストの増加を抑えることができる。
【図面の簡単な説明】
【００１５】
【図１】実施例１に係る回転機に備えられるステータを示す概略斜視図である。
【図２】実施例１に係る回転機に備えられるステータを示す概略平面図（図１におけるII矢視図）である。
【図３】実施例１に係る回転機に備えられるステータにおけるバスバーの保持を示す説明図（図１におけるIII−III矢視断面図）である。
【図４】実施例１に係る回転機に備えられるステータにおける絶縁リングを示す斜視図である。
【図５】実施例１に係る回転機に備えられるステータにおける絶縁リングを示す部分縦断面図（図４におけるＶ−Ｖ矢視断面図）である。
【図６】実施例１に係る回転機に備えられるステータにおける絶縁リングホルダを示す斜視図である。
【図７】実施例１に係る回転機に備えられるステータにおける絶縁リングホルダを示す平面図（図６におけるVII矢視図）である。
【図８】実施例１に係る回転機に備えられるステータにおけるバスバーと異なる形状のバスバーを備えたステータ（変形例）を示す平面図である。
【図９】実施例１に係る回転機に備えられるステータにおけるバスバーと異なる形状のバスバーを備えたステータ（変形例）を示す部分縦断面図（図８におけるIX−IX矢視断面図）である。
【発明を実施するための形態】
【００１６】
以下に、本発明に係る回転機の実施例について、添付図面を参照して詳細に説明する。もちろん、本発明は以下の実施例に限定されず、本発明の趣旨を逸脱しない範囲で各種変更が可能であることは言うまでもない。
【実施例１】
【００１７】
本発明の実施例１に係る回転機は、略円筒形状から成るステータ１（図１参照）と、ステータ１の内周側に回転自在に保持される図示しないロータとから成る三相交流回転機である。ステータ１においては、図示しない給電部から位相をずらした所定周波数の電流（三相交流）を供給されることによって回転磁界が作られ、当該回転磁界によって図示しないロータが回転駆動される。
【００１８】
本実施例に係る回転機に備えられるステータ（固定子）１の構造について、図１から図９を参照して説明する。
【００１９】
図１に示すように、ステータ１は、多数枚の積層鋼板から成る略円筒形状のステータコア１０と、当該ステータコア１０の内周側において図示しないティース部に巻回されるコイル（巻線）２０とから概略構成されている。なお、図１においては、図を見やすくするために、コイル２０などを簡略化して示している。
【００２０】
また、ステータ１には、コイル２０と図示しない給電部とを電気的に接続するためのバスリング（バスバー）３０と、当該バスリング３０をステータコア１０の軸方向一端側（図１における上方側）に保持するためのリング保持部材４０とが設けられている。つまり、図示しない給電部からバスリング３０を介して、コイル２０に電流が供給されるようになっている。
【００２１】
ステータ１は、三相交流回転機に用いられるものであり、図示しない給電部からコイル２０に三相交流を給電するために、三つのバスリング３０を備えている。三つのバスリング３０は、リング保持部材４０によって保持され、ステータコア１０の軸方向一端側において段積みされるように軸方向に並んで配設されている。なお、三つのバスリング３０は、三相交流の位相をずらした所定周波数の電流にそれぞれ対応しており、ステータコア１０側から順にＵ相のバスリング３０Ｕ、Ｖ相のバスリング３０Ｖ、Ｗ相のバスリング３０Ｗである。
【００２２】
また、図１および図２に示すように、ステータコア１０には、図示しないフレーム等に固定するため、図示しないボルトを挿通可能なボルト穴（第一の挿通穴）１１が三つ形成されている。よって、ステータコア１０は、ボルト穴１１に図示しないボルトを挿通させることにより、ステータコア１０の外周部材である図示しないフレーム、ブラケット、ケーシングなどの構造部材に固定（締結）することができるようになっている。
【００２３】
図２に示すように、バスリング３０は、図示しないロータを挿通させることができる程度の内径を有する有端の略円環形状すなわち略半円形状のリング部３１と、リング部３１の一端部から径方向外周側へ延出する接続部３２とから構成されている。リング部３１は、略円筒形状から成るコイル２０との接続を容易にするために略円環形状となっており、接続部３２は、図示しない給電部との接続を容易にするために径方向外周側へ突出する形状となっている。
【００２４】
また、リング部３１の他端部には、後述するリング保持部材４０の絶縁リング５０との位置決め手段として使用される位置決め穴３３が設けられている。このように、バスリング３０の他端部近傍に位置決め穴３３を形成することにより、電流が流れる範囲のバスリング３０の断面積を一定にすることができる。つまり、位置決め用穴３３を形成することによって断面積が減少して抵抗値が増加してしまうのを回避することができる。
【００２５】
もちろん、バスリング３０の位置決め穴３３を形成する位置は、本実施例のようにバスリング３０の他端部近傍に限定されない。例えば、バスリング３０の他端部近傍以外の場所に位置決め穴３３を形成した場合には、他端部近傍に位置決め穴３３を形成するための余裕分が必要なくなるので、リング部３１の長さを短くすることができる。つまり、バスリング３０の材料費を削減することができる。
【００２６】
本実施例においては、Ｕ相のバスリング３０Ｕ、Ｖ相のバスリング３０Ｖ、Ｗ相のバスリング３０Ｗに同一形状のものを使用している。このようにステータ１における複数のバスリング３０を同一形状のものとすることにより、製造コストの削減を図ることができる。
【００２７】
もちろん、本発明におけるバスリングは、本実施例のように同一形状のバスリング３０に限定されない。例えば、図８および図９に示すように、多相交流回転機のステータ１０１において、接続部１３２に屈曲部１３４を形成するなどして接続部１３２における端部の軸方向位置（図９における上下方向位置）を異にする複数種類のバスリング１３０Ｕ，１３０Ｖ，１３０Ｗを使用するようにしても良い。このように接続部１３２における端部の軸方向位置を異にする複数種類（図８および図９に示す例においては三種類）のバスリング１３０を使用することによって、接続部１３２の端部を近接させて設けることができるので、図示しない給電部との接続を容易にすることができる。
【００２８】
図１および図２に示すように、リング保持部材４０は、バスリング３０と係合する略円環形状の絶縁リング５０と、バスリング３０および当該バスリング３０と係合した絶縁リング５０を保持するための絶縁リングホルダ６０とから構成されている。リング保持部材４０は、三つのバスリング３０Ｕ，３０Ｖ，３０Ｗをステータコア１０の軸方向一端側において段積みされるように軸方向に並んで保持する一方で、ステータコア１０と共に図示しないフレーム等に固定（共締め）されるようになっている。つまり、三つのバスリング３０Ｕ，３０Ｖ，３０Ｗは、リング保持部材４０によって保持され、三つのバスリング３０Ｕ，３０Ｖ，３０Ｗを保持したリング保持部材４０は、ステータコア１０と共に図示しないフレーム等に固定（共締め）される。
【００２９】
ステータコア１０およびリング保持部材４０を共締めする対象部材としては、ステータコア１０の外周部材である図示しないフレームだけではなく、ブラケットやケーシングなどが挙げられ、ステータ１を固定することができる構造部材であれば良い。
【００３０】
図４および図５に示すように、絶縁リング５０は、バスリング３０におけるリング部３１の内周側に係合する略円筒形状の円筒部５１と、当該円筒部５１の一端側（図５における下方側）から径方向外周側（図５における右方側）へ延びる略円盤形状の円盤部５２とから構成され、円筒部５１と円盤部５２とで略Ｌ字の縦断面形状を成している。バスリング３０におけるリング部３１の内周側に絶縁リング５０における円筒部５１を係合させると共に、バスリング３０の一端面（図５における下方側の端面）３０ａに絶縁リング５０における円盤部５２を当接させることにより、バスリング３０は安定して絶縁リング５０に保持されるようになっている。
【００３１】
このように、一つの絶縁リング５０は、一つのバスリング３０を係合保持するようになっている。よって、本実施例におけるステータ１は、三相交流にそれぞれ対応する三つのバスリング３０を備えているので、三つのバスリング３０Ｕ，３０Ｖ，３０Ｗをそれぞれ係合保持する三つの絶縁リング５０Ｕ，５０Ｖ，５０Ｗを備えている（図１および図３参照）。
【００３２】
図４および図５に示すように、絶縁リング５０には、周方向に所定距離の間隔を空けて開口部５３が設けられている。当該開口部５３は、円筒部５１の一部を径方向（図５における左右方向）に貫通すると共に、絶縁リング５０の下面（円盤部５２の下面）５２ａに臨むように形成されている。また、絶縁リング５０の円筒部５１における上端部５１ａには、軸方向上方側（図５における上方側）に突出する突出部５４が周方向に複数箇所（本実施例においては三箇所）設けられている。
【００３３】
図３に示すように、絶縁リング５０の上端部５１ａに設けられた突出部５４は、複数の絶縁リング５０Ｕ，５０Ｖ，５０Ｗを軸方向に段積みした際に隣接する絶縁リング５０の下面（円盤部５２の下面）５２ａに臨んで形成された開口部５３と係合するように形成されている。つまり、複数の絶縁リング５０Ｕ，５０Ｖ，５０Ｗは、隣接する絶縁リング５０同士の開口部５３と突出部５４との係合によって、軸方向（図３における上下方向）に段積みされている。
【００３４】
また、絶縁リング５０の円筒部５１は、複数の絶縁リング５０を軸方向に段積みした際に、円筒部５１に係合したバスリング３０が隣接する絶縁リング５０の下面（円盤部５２の下面）５２ａに接触しない程度の高さ（軸方向長さ）Ｈを有している。つまり、複数の絶縁リング５０を軸方向に段積みした際には、絶縁リング５０の円筒部５１に係合したバスリング３０の上端面（図３における上方側の端面）３０ｂと隣接する絶縁リング５０の下面（円盤部５２の下面）５２ａとの間に隙間Ｄが作られるようになっている。
【００３５】
このように、複数の絶縁リング５０を軸方向に段積みした際に、隙間Ｄによってバスリング３０の上端面３０ｂが空気に晒されることにより、バスリング３０の冷却性能を向上させることができる。
【００３６】
また、絶縁リング５０の円筒部５１に設けた開口部５３は、複数の絶縁リング５０を軸方向に段積みした際に作られる隙間Ｄにも臨むように、広範囲に形成されている。このように、開口部５３を隙間Ｄに臨んで形成することにより、バスリング３０近傍における空気を流れ易くすることができるので、バスリング３０の冷却性能を更に向上させることができる。
【００３７】
もちろん、バスリング３０の冷却性能を向上させる開口部（冷却孔）は、本実施例のように絶縁リング５０の円筒部５１に形成される開口部５３だけでなく、絶縁リング５０の円盤部５２に形成しても良い。このように多く（または広範囲）の開口部を設けることにより、バスリング３０の冷却性能を向上させると共に、絶縁リング５０の材料費を削減し、当該絶縁リング５０を備えたステータ１および回転機の軽量化を図ることもできる。
【００３８】
図１および図６に示すように、絶縁リングホルダ６０は、径方向に延設されて絶縁リング５０を保持する保持アーム部６１と、当該保持アーム部６１の径方向外周側の端部から軸方向に延びて保持アーム部６１を支持するアーム支持部６２と、アーム支持部６２の一端側に設けられステータコア１０の軸方向一端面（図１における上方側端面）に当接するホルダ当接部６３とから構成されている。
【００３９】
当接部６３には、図示しないボルトを挿通可能なボルト穴（第二の挿通穴）６３ａが形成されている。リング保持部材４０は、絶縁リングホルダ６０における当接部６３のボルト穴６３ａがステータコア１０におけるボルト穴１１と略同軸となるように配置され、図示しないボルト（機械的締結手段）によってステータコア１０と共に図示しないフレーム等に固定（共締め）されるようになっている。本実施例においては、ステータコア１０に形成されたボルト穴１１の数量および設置位置に応じて、三つの絶縁リングホルダ６０が設置されている。
【００４０】
図６および図７に示すように、絶縁リングホルダ６０の保持アーム部６１は、軸方向（図６における上下方向）に所定間隔離間して四段の保持アーム部６１ａ，６１ｂ，６１ｃ，６１ｄが設けられ、当該四段の保持アーム部６１ａ，６１ｂ，６１ｃ，６１ｄが周方向（図７における左右方向）に所定間隔離間して設けられて成る。
【００４１】
図３に示すように、保持アーム部６１における四段の保持アーム部６１ａ〜６１ｄのうち下三段の保持アーム部６１ｂ，６１ｃ，６１ｄは、絶縁リング５０における円盤部５２と当接し、絶縁リング５０を下方側（図３における下方側）から支えるようになっている。
【００４２】
また、保持アーム部６１における四段の保持アーム部６１ａ〜６１ｄのうち上三段の保持アーム部６１ａ，６１ｂ，６１ｃの先端部は、絶縁リング５０の円筒部５１に当接すると共に絶縁リング５０の開口部５３に合わせた形状で形成され、絶縁リング５０の開口部５３に一部を挿入できるようになっている。このように、保持アーム部６１における上三段の保持アーム部６１ａ，６１ｂ，６１ｃの先端部を絶縁リング５０の開口部５３に挿入することにより、絶縁リングホルダ６０は絶縁リング５０に装着される。
【００４３】
そして、絶縁リング５０に対して径方向外周側の三方向から絶縁リングホルダ６０を装着することにより、三つの絶縁リングホルダ６０で絶縁リング５０を保持するようになっている（図１および図２参照）。
【００４４】
もちろん、本発明における保持部材は、本実施例のようにバスリング３０と係合する絶縁リング５０を径方向外周側の三方向から絶縁リングホルダ６０によって保持するものに限定されず、絶縁リング５０に複数の方向から絶縁リングホルダ６０を装着することにより、絶縁リング５０を確実に保持することができるものであれば良い。例えば、ステータコア１０におけるフレームに固定するためのボルト穴の数量および設置位置に応じて、絶縁リング５０に対して径方向外周側の二または四以上の方向から絶縁リングホルダ６０を装着するようにしても良く、絶縁リング５０に対して径方向内周側の複数の方向から絶縁リングホルダ６０を装着するようにしても良い。
【００４５】
また、本発明における保持部材は、本実施例のように絶縁リング５０と絶縁リングホルダ６０との別体構造のものに限定されず、バスリング３０を保持する保持部とステータコア１０に当接する当接部を有する一体構造のものであっても良い。このような一体構造の保持部材の場合においても、当接部にボルトを挿通可能なボルト穴（第二の挿通孔）を設け、当該ボルト穴およびステータコア１０のボルト穴１１にボルトを挿通させ、ステータコア１０と当該保持部材とを共にフレーム等の構造部材に締結することにより、部品形状の増大や質量の増加を伴わずにバスリング３０を保持することができる。
【００４６】
以上の構成により、本実施例におけるステータ１を備えた回転機においては、図示しない給電部からステータ１に巻装されたコイル２０に、位相をずらした所定周波数の電流（三相交流）を供給することによって回転磁界が作られ、ステータ１の内周側において回転自在に保持された図示しないロータが当該回転磁界によって回転駆動される。
【００４７】
なお、本実施例においては、コイル２０を、スター結線方式にて結線し、Ｕ相の巻線，Ｖ相の巻線，Ｗ相の巻線のそれぞれの巻き始めの一端部および巻き終わりの他端部を、それぞれ対応するＵ相のバスリング３０Ｕ，Ｖ相のバスリング３０Ｖ，Ｗ相のバスリング３０Ｗに接続している。もちろん、本発明における結線方式は、本実施例のようにスター結線に限定されず、デルタ結線など種々の結線方式にてコイル２０を結線するようにしても良い。
【００４８】
また、本実施例においては、ステータ１におけるコイル２０の中性点を、絶縁紙等によって絶縁性を保持させた状態で、コイルエンド２１とＵ相のバスリング３０Ｕとの間で接続するようにしている。もちろん、本発明は、これに限定されず、例えば、ステータ１に中性点用のバスリング３０を更に備える、すなわち、中性点用のバスリング３０を三つのバスリング３０Ｕ，３０Ｖ，３０Ｗと共にステータコア１０の軸方向一端側において段積みされるように軸方向に並んで配設し、当該バスリング３０を介して巻線２０における中性点を接続するようにしても良い。
【００４９】
本発明の実施例１に係る回転機の製造方法について、図１から図３を参照して説明する。
【００５０】
まず、ステータコア１０の軸方向一端側すなわちバスリング３０を設置する側において、絶縁紙などを用いて、ステータコア１０の図示しないティース部に巻装されたコイル（巻線）２０の中性点を、絶縁紙等によって絶縁性を保持させた状態で接続する。
【００５１】
次に、バスリング３０（３０Ｕ）を絶縁リング５０（５０Ｕ）で係合保持し、ステータコア１０の軸方向一端側に絶縁リング５０（５０Ｕ）および絶縁リング５０（５０Ｕ）に係合保持されたバスリング３０（３０Ｕ）を配置し、ステータコア１０の図示しないティース部に巻装されたコイル２０における巻き始めの一端部および巻き終わりの他端部（本実施例においてはＵ相に対応する巻線の端部）を溶接等によって接続する。
【００５２】
このとき、絶縁リング５０（５０Ｕ）および当該絶縁リング５０（５０Ｕ）と係合保持したバスリング３０（３０Ｕ）は、コイル２０との接続によって仮固定される。コイル２０の剛性が低く、絶縁リング５０（５０Ｕ）および当該絶縁リング５０（５０Ｕ）と係合保持したバスリング３０（３０Ｕ）の仮固定を行うことができない場合には、別途治具等を設けることにより絶縁リング５０（５０Ｕ）および当該絶縁リング５０（５０Ｕ）と係合保持したバスリング３０（３０Ｕ）の仮固定を行っても良い。
【００５３】
なお、本実施例のように絶縁リング５０（５０Ｕ）を絶縁体で形成していない場合には、絶縁リング５０（５０Ｕ）および絶縁リング５０（５０Ｕ）に係合保持されたバスリング３０（３０Ｕ）を配置する際に中性点と接触しないようにする。
【００５４】
次に、バスリング３０（３０Ｖ）を絶縁リング５０（５０Ｖ）で係合保持し、ステータコア１０の軸方向一端側に設置された絶縁リング５０（５０Ｕ）に更なる絶縁リング５０（５０Ｖ）を段積みする。つまり、ステータコア１０の軸方向一端側に設置された絶縁リング５０（５０Ｕ）の突出部５４に、新たな絶縁リング５０（５０Ｖ）の開口部５３を係合保持させて、絶縁リング５０（５０Ｕ，５０Ｖ）を二段積みする。そして、ステータコア１０の図示しないティース部に巻装されたコイル２０における巻き始めの一端部および巻き終わりの他端部（本実施例においてはＶ相に対応する巻線の端部）を溶接等によって接続する。
【００５５】
このとき、絶縁リング５０（５０Ｖ）および当該絶縁リング５０（５０Ｖ）と係合保持したバスリング３０（３０Ｖ）は、コイル２０との接続によって仮固定される。コイル２０の剛性が低く、絶縁リング５０（５０Ｖ）および当該絶縁リング５０（５０Ｖ）と係合保持したバスリング３０（３０Ｖ）の仮固定を行うことができない場合には、別途治具等を設けることにより絶縁リング５０（５０Ｖ）および当該絶縁リング５０（５０Ｖ）と係合保持したバスリング３０（３０Ｖ）の仮固定を行っても良い。
【００５６】
なお、前述と同様に、本実施例のように絶縁リング５０（５０Ｖ）を絶縁体で形成していない場合には、絶縁リング５０（５０Ｖ）および絶縁リング５０（５０Ｖ）に係合保持されたバスリング３０（３０Ｖ）を配置する際に中性点と接触しないようにする。
【００５７】
続いて、バスリング３０（３０Ｗ）を絶縁リング５０（５０Ｗ）で係合保持し、ステータコア１０の軸方向一端側に設置された絶縁リング５０（５０Ｕ，５０Ｖ）に更なる絶縁リング５０（５０Ｗ）を段積みする。つまり、ステータコア１０の軸方向一端側に設置された絶縁リング５０（５０Ｖ）の突出部５４に、新たな絶縁リング５０（５０Ｗ）の開口部５３を係合保持させて、絶縁リング５０（５０Ｕ，５０Ｖ，５０Ｗ）を三段積みする。そして、ステータコア１０の図示しないティース部に巻装されたコイル２０における巻き始めの一端部および巻き終わりの他端部（本実施例においてはＷ相に対応する巻線の端部）を溶接等によって接続する。
【００５８】
このとき、絶縁リング５０（５０Ｕ）および当該絶縁リング５０（５０Ｕ）と係合保持したバスリング３０（３０Ｕ）は、コイル２０との接続によって仮固定される。コイル２０の剛性が低く、絶縁リング５０（５０Ｕ）および当該絶縁リング５０（５０Ｕ）と係合保持したバスリング３０（３０Ｕ）の仮固定を行うことができない場合には、別途治具等を設けることにより絶縁リング５０（５０Ｕ）および当該絶縁リング５０（５０Ｕ）と係合保持したバスリング３０（３０Ｕ）の仮固定を行っても良い。
【００５９】
なお、本実施例のように絶縁リング５０を絶縁体で形成していない場合には、絶縁リング５０および絶縁リング５０に係合保持されたバスリング３０を配置する際に中性点と接触しないようにする。
【００６０】
次に、三つの絶縁リング５０Ｕ，５０Ｖ，５０Ｗに対して径方向外周側の三方向から絶縁リングホルダ６０を装着することにより、三つの絶縁リングホルダ６０でステータコア１０の軸方向一端側において段積みされるように軸方向に並んで配設された絶縁リング５０Ｕ，５０Ｖ，５０Ｗを保持する。
【００６１】
最後に、三つの絶縁リングホルダ６０を、絶縁リングホルダ６０における当接部６３のボルト穴６３ａがステータコア１０におけるボルト穴１１と略同軸となるように配置し、図示しないボルトによってステータコア１０およびリング保持部材４０を図示しないフレーム等の構造部材に共締めして固定する。
【００６２】
以上により、ステータ１において、部品形状の増大や質量の増加を伴わずにバスリング３０を保持することができ、当該ステータ１を備えた三相交流回転機を製造することができる。
【００６３】
本実施例においては、三相交流回転機に備えられ、バスリング３０がステータコア１０の軸方向一端側において段積みされるように軸方向に並んで配設されたステータ１の構造および製造について説明したが、本発明はこれに限定されない。
【００６４】
本発明は、例えば、三相以外の多相交流回転機に適用することもでき、バスバーがステータコアの軸方向一端側において径方向に並んで配設されるステータを備えた回転機に適用することもできる。
【符号の説明】
【００６５】
１      ステータ
１０    ステータコア
１１    ステータコアのボルト穴（第一の挿通穴）
２０    コイル（巻線）
２１    コイルエンド
３０    バスリング（バスバー）
３１    バスリングのリング部
３２    バスリングの接続部
３３    バスリングの位置決め穴
４０    リング保持部材（保持部材）
５０    絶縁リング（保持部）
５１    絶縁リングの円筒部
５２    絶縁リングの円盤部
５３    絶縁リングの開口部
５４    絶縁リングの突出部
５５    絶縁リングの位置決め突起部
６０    絶縁リングホルダ
６１    絶縁リングホルダの保持アーム部（保持部）
６２    絶縁リングホルダのアーム支持部
６３    絶縁リングホルダの当接部（当接部）
６３ａ  絶縁リングホルダのボルト穴（第二の挿通穴）
【図１】
0006450963.tif 000002
【図２】
0006450963.tif 000003
【図３】
0006450963.tif 000004
【図４】
0006450963.tif 000005
【図５】
0006450963.tif 000006
【図６】
0006450963.tif 000007
【図７】
0006450963.tif 000008
【図８】
0006450963.tif 000009
【図９】
0006450963.tif 000010